(57)【特許請求の範囲】
【請求項１】
監視ポイントに対応して設けられ、上記監視ポイントに関連する管理データと、上記監視ポイントの監視及び制御に係わる機能とをそれぞれ下位のフォルダーに格納した監視ポイントフォルダーが記憶された記憶装置、
及び上記監視ポイントをシンボルで表示したグラフィック画面上で上記シンボルが操作されることにより、当該シンボルに対応する上記監視ポイントフォルダーを上記記憶装置から読み出し、表示する手段を備え、
上記記憶装置には、上記監視ポイントごとに、当該監視ポイントに関連する上記監視ポイントフォルダーの位置を定義したポイントリンク定義情報が格納され、
上記シンボルに対応する上記監視ポイントフォルダーの表示は、上記ポイントリンク定義情報を参照して行われ、
上記下位のフォルダーをクリックすることにより、対応する管理データまたは機能が表示されることを特徴とする監視制御システム。
【請求項２】
上記監視ポイントフォルダーに格納された上記監視ポイントの監視及び制御に係わる機能には、上記監視ポイントの監視及び制御に係わる機能を追加及び削除するための手段が含まれることを特徴とする請求項１記載の監視制御システム。
【請求項３】
上記監視ポイントフォルダーに格納された上記監視ポイントの監視及び制御に係わる機能には、サマリ表示による監視の対象としない監視ポイントを上記サマリ表示から除外する手段が含まれることを特徴とする請求項１または請求項２記載の監視制御システム。
【請求項４】
上記監視ポイントフォルダーに格納された上記監視ポイントの監視及び制御に係わる機能には、上記監視ポイントの状態変化時間を計測するストップウォッチアプリケーション手段が含まれることを特徴とする請求項１〜請求項３のいずれか一項記載の監視制御システム。
【請求項５】
上記グラフィック画面上の任意の範囲を選択する手段、
上記選択された範囲内の上記監視ポイントを一覧表示する手段、
及び上記一覧表示された上記監視ポイントの一つが選択操作されることにより、当該監視ポイントに対応する上記監視ポイントフォルダーを上記記憶装置から読み出し、表示する手段を備えたことを特徴とする請求項１〜請求項４のいずれか一項記載の監視制御システム。
【請求項６】
上記グラフィック画面上の任意の範囲を選択する手段、
上記選択された範囲内の上記監視ポイントを一覧表示するとともに、上記監視ポイントを監視及び制御するために操作される監視ボタン及び制御ボタンを表示する手段、
及び上記監視ボタン及び制御ボタンのいずれかが操作されることにより、上記一覧表示された監視ポイントに対し、一括監視または制御を行う手段を備えたことを特徴とする請求項１〜請求項４のいずれか一項記載の監視制御システム。
【請求項７】
上記監視ポイントに関連する管理データを作成し、ファイル名に当該監視ポイントに対応するコードを埋め込む手段、
及び上記作成された管理データを上記コードに対応する監視ポイントフォルダーに自動的に登録する手段を備えたことを特徴とする請求項１〜請求項６のいずれか一項記載の監視制御システム。
【発明の詳細な説明】
【技術分野】
【０００１】
この発明は、監視ポイントに関連付けた設備情報等の管理データと機能にて構成され、ビル管理などに用いられる監視制御システムに関するものである。
【背景技術】
【０００２】
従来の監視制御システムにおいては、設備情報等の管理データは、監視制御装置とは別のファシリティ管理装置で構築されることが多く、また監視制御装置と共存する場合でも、限られた設備情報のみを監視制御対象の監視ポイントに割り当てていた。
例えば、特許文献１では、監視制御システムとは独立した設備管理システムが構築され、設備群毎に１対１に対応する設備データを持つものの、監視ポイントとの連携が取られていないため、監視業務で得られた警報等の情報から簡単に設備情報を取得することができなかった。
また、従来の監視制御システムでは、履歴機能、サマリ機能、スケジュール機能、日月年報機能等の「機能」の有無定義は、システム情報として予め決定しておく必要があり、ユーザ側で自由に追加・削除することはできなかった。
【先行技術文献】
【特許文献】
【０００３】
【特許文献１】特願平８−１３７９４３号公報（第３〜４頁、図１）
【発明の概要】
【発明が解決しようとする課題】
【０００４】
従来のビル管理システムにおいては、設備情報等の「管理データ」は監視制御装置とは別のファシリティ管理装置で構築されることが多く、また監視制御装置と共存する場合でも、限られた設備情報のみを監視制御対象の監視ポイントに割り当てていたため、監視ポイントに対する詳細な設備情報を検索する場合、監視制御装置からでは限られた情報のみしか入手することができず、ファシリティ管理装置や紙の管理台帳などで設備情報を改めて検索する必要があった。
また、従来の監視制御装置では、履歴機能、サマリ機能、スケジュール機能、日月年報機能、ストップウォッチ機能等の「機能」の有無定義は、システム情報として予め決定しておく必要があるが、不足機能が生じた場合にはシステム改造が必要になるという問題があった。
【０００５】
この発明は、上述のような課題を解決するためになされたものであり、監視ポイントに管理データを割り付けるとともに監視のための機能の追加及び削除が簡単に行える監視制御システムを得ることを目的とする。
【課題を解決するための手段】
【０００６】
この発明に係わる監視制御システムにおいては、監視ポイントに対応して設けられ、監視ポイントに関連する管理データと、監視ポイントの監視及び制御に係わる機能とをそれぞれ下位のフォルダーに格納した監視ポイントフォルダーが記憶された記憶装置、及び監視ポイントをシンボルで表示したグラフィック画面上でシンボルが操作されることにより、当該シンボルに対応する監視ポイントフォルダーを記憶装置から読み出し、表示する手段を備え、記憶装置には、監視ポイントごとに、当該監視ポイントに関連する監視ポイントフォルダーの位置を定義したポイントリンク定義情報が格納され、シンボルに対応する監視ポイントフォルダーの表示は、ポイントリンク定義情報を参照して行われ、下位のフォルダーをクリックすることにより、対応する管理データまたは機能が表示されるものである。
【発明の効果】
【０００７】
この発明によれば、監視ポイントに対応して設けられ、監視ポイントに関連する管理データと、監視ポイントの監視及び制御に係わる機能とをそれぞれ下位のフォルダーに格納した監視ポイントフォルダーが記憶された記憶装置、及び監視ポイントをシンボルで表示したグラフィック画面上でシンボルが操作されることにより、当該シンボルに対応する監視ポイントフォルダーを記憶装置から読み出し、表示する手段を備え、記憶装置には、監視ポイントごとに、当該監視ポイントに関連する監視ポイントフォルダーの位置を定義したポイントリンク定義情報が格納され、シンボルに対応する監視ポイントフォルダーの表示は、ポイントリンク定義情報を参照して行われ、下位のフォルダーをクリックすることにより、対応する管理データまたは機能が表示されるので、監視ポイントのシンボルを選択するだけで、当該監視ポイントに関連する管理データを素早く表示することができる。
【図面の簡単な説明】
【０００８】
【図１】この発明の実施の形態１による監視制御システムを説明する説明図である。
【図２】この発明の実施の形態２による監視制御システムを説明する説明図である。
【図３】この発明の実施の形態３による監視制御システムを説明する説明図である。
【図４】この発明の実施の形態４による監視制御システムを説明する説明図である。
【図５】この発明の実施の形態５による監視制御システムを説明する説明図である。
【図６】この発明の実施の形態６による監視制御システムを説明する説明図である。
【図７】この発明の実施の形態７による監視制御システムを説明する説明図である。
【発明を実施するための形態】
【０００９】
実施の形態１．
以下、この発明の実施の形態１を図に基づいて説明する。
図１は、この発明の実施の形態１による監視制御システムを説明する説明図である。
図１において、監視制御システムは、記憶装置と表示装置をもった計算機により構成されている。表示装置に表示されたグラフィック画面１の閲覧したい監視ポイントのシンボル（図１では、５２Ｇ１）をクリックすると、ワンポイントメニュー２が表示される。ワンポイントメニュー２の「フォルダー」をクリックすると、記憶装置に格納されているポイントリンク定義情報４を参照して、リンクフォルダー画面３が表示される。ポイントリンク定義情報４は、グラフィック画面１のポイントシンボルとフォルダー位置を１対１で設定している。
なお、ワンポイントメニュー２の内容や、リンクフォルダー画面３に表示される監視ポイントフォルダーは、記憶装置に格納されており、表示する手段によって読み出されて表示されるようになっている。
【００１０】
実施の形態１では、監視対象機器を示す監視ポイント毎にリンクされたフォルダーを構成し、監視ポイント選択時に、該当機器の図面やカタログ等の任意の管理データに素早くアクセスするようにした。
【００１１】
次に、動作の詳細について説明する。
図１の監視ポイントを示すポイントシンボルを選択することにより、監視ポイントに関連付けられたフォルダー（監視ポイントフォルダー）をリンクフォルダー画面３内に表示し、監視ポイントに関連付けられた管理データと機能が表示されるようになっている。
このフォルダーの表示には、グラフィック画面１のポイントシンボルとフォルダー位置を１対１で設定したポイントリンク定義情報４を使用する。
【００１２】
次の手順により、監視ポイントに関連付けられたフォルダーをリンクフォルダー画面３内に表示する。
（ａ）オペレーターが、グラフィック画面１より閲覧したいポイントシンボル（この場合、５２Ｇ１）を選択する。すると、選択されたポイントシンボルに関連するワンポイントメニュー２が表示される。ワンポイントメニュー２には、異常対応、履歴、保守の各機能と関連するフォルダーが表示される。
【００１３】
（ｂ）オペレーターが、ワンポイントメニュー２より「フォルダー」を選択する。
（ｃ）表示制御部が、ポイントリンク定義情報４を参照し、監視ポイントにリンクされたフォルダー位置を取得する。
（ｄ）表示制御部が、監視ポイントに関連付けられたフォルダーをリンクフォルダー画面３内に表示する。
このような流れにより、監視ポイントに関連する管理データへアクセスすることができる。
【００１４】
実施の形態１によれば、監視ポイント毎にリンクされたフォルダーを構成し、監視ポイントを選択すれば、該当機器の図面やカタログ等の任意の管理データに素早くアクセスすることができる。
【００１５】
実施の形態２．
図２は、この発明の実施の形態２による監視制御システムを説明する説明図である。
図２において、リンクフォルダー画面３の「アプリケーション」フォルダーをクリックすると、アプリケーションフォルダー画面５が表示されるようになっている。
【００１６】
実施の形態１では、監視ポイント毎にリンクされたフォルダーを構成し、監視ポイントを選択して、該当機器の図面やカタログ等の任意の管理データにアクセスする場合について述べたが、実施の形態２は、履歴機能、サマリ機能、スケジュール機能、日月年報機能等の機能の追加及び削除をユーザが行えるようにした。
図２のリンクフォルダー画面３に示すように、監視ポイントにリンクされたフォルダーに機能アプリケーション（監視ポイントの監視及び制御に係わる機能を追加及び削除するための手段）を登録することにより、各監視ポイントに対する機能を簡単に追加及び削除することができるようになる。
【００１７】
以下の機能アプリケーションの追加及び削除について説明する。
図２のアプリケーションフォルダー画面５には、日月年報アプリケーション、サマリアプリケーション、履歴アプリケーション、ストップウォッチアプリケーション、アプリケーション追加フォルダーの各ショートカットアイコンが表示されている。
図２は、実施の形態２の操作フローの例を示している。
図１の（ａ）〜（ｄ）の手順でリンクフォルダー画面３を表示する。
次に、（ｅ）リンクフォルダー画面３内に登録された「アプリケーション」フォルダーをマウス操作等を行い、図２のアプリケーションフォルダー画面５を表示する。この表示されたアプリケーションフォルダー画面５には、すでに登録済みのアプリケーションが一覧で表示される。
【００１８】
（ｆ）次いで、図２のアプリケーションフォルダー画面５に表示されたアプリケーションの１つをクリックすることにより、選択されたアプリケーションが起動する。アプリケーションの削除を行う場合は、アプリケーションのショートカットアイコンを削除する。
【００１９】
また、（ｇ）アプリケーションを新規に登録する場合は、アプリケーション追加フォルダーショートカット内に保存されている全機能のアプリケーションの中からコピー・アンドペーストすることにより、アプリケーションフォルダーに追加登録することができる。
【００２０】
実施の形態２によれば、監視ポイントにリンクされたフォルダーに機能アプリケーションを登録することにより、各監視ポイントに対する機能を簡単に追加及び削除することができる。
【００２１】
実施の形態３．
図３は、この発明の実施の形態３による監視制御システムを説明する説明図である。
図３において、リンクフォルダー画面３にはサマリ除外機能が登録されており、この「サマリ除外」アプリケーション（サマリ表示から除外する手段）をクリックすると、サマリ除外画面６が表示される。サマリ除外画面６で、監視ポイントをサマリ除外項目に登録すると、サマリ画面７に該当項目（監視ポイント）が表示されなくなる。
【００２２】
実施の形態２では、機能アプリケーションの登録・削除について述べ、その機能アプリケーションの１つにサマリアプリケーションが含まれたが、実施の形態３は、図３に示すように、サマリアプリケーションとして、サマリ除外機能を設け、常に故障中、運転中などで、特段の確認が不要にもかかわらず、常に故障中サマリ、あるいは稼働中サマリに表示される項目（監視ポイント）を表示除外できるようにした。
監視ポイントのサマリ除外項目への登録は、リンクフォルダー画面３に登録された「サマリ除外」アプリケーションを起動することで自動的に実行するようにしており、ユーザのオペレーションを簡略化できるとともに、使い勝手のよいサマリ除外機能を実現することができる。
【００２３】
図３は、実施の形態３の操作フローの例を示している。
オペレータは、サマリ画面７から表示除外したい項目（監視ポイント：５２Ｇ１）に対して、図１の（ａ）〜（ｄ）の手順でリンクフォルダー画面３を表示する。
次に、（ｈ）リンクフォルダー画面３内に登録された「サマリ除外」アプリケーションをマウス操作等で起動する。（ｉ）起動されたサマリ除外アプリケーションは、サマリ除外画面６に示すように、自動的に該当項目をサマリ除外項目として登録する。（ｊ）サマリ除外項目として登録された項目は、稼動中、あるいは故障中であっても、サマリ画面７の稼動中サマリ、故障中サマリには表示されない。
【００２４】
実施の形態３によれば、サマリ除外機能を設けたので、常に故障中、運転中などで、特段の確認が不要にもかかわらず、常に故障中サマリ、あるいは稼働中サマリ機能に表示される項目を表示除外することができる。
また、監視ポイントのサマリ除外項目への登録は、リンクフォルダー画面に登録されたサマリ除外アプリケーションを起動することで実行でき、ユーザのオペレーションを簡略化できるとともに、使い勝手のよいサマリ除外機能を実現することができる。
【００２５】
実施の形態４．
図４は、この発明の実施の形態４による監視制御システムを説明する説明図である。
図４において、３、５は図２におけるものと同一のものである。図４では、ストップウォッチアプリケーション（ストップウォッチアプリケーション手段）の起動により表示される項目登録画面８と、ストップウォッチの計測結果を表示する結果表示画面９が示されている。
【００２６】
実施の形態２では、機能アプリケーションの登録・削除について述べ、その機能アプリケーションの１つにストップウォッチアプリケーションが含まれたが、実施の形態４では、ストップウォッチアプリケーションに関し、図４のように、ストップウォッチ計測する対象の機器を登録し、登録した機器のイベント発生時刻とインターバルを表示、記録できるようにした。
これにより、一連の機器の動作状況を時系列に把握することができるようになる。
【００２７】
図４は、実施の形態４の操作フローの例を示している。
オペレータは、計測を行いたい項目（監視ポイント）に対して、図１の（ａ）〜（ｄ）の手順で、リンクフォルダー画面３を表示する。
次に、（ｅ）リンクフォルダー画面３内のアプリケーションフォルダーをクリックし、アプリケーションフォルダー画面５を表示する。次いで、（ｆ）アプリケーションフォルダー画面５内に登録されたストップウォッチアプリケーションをマウス操作等で起動する。
（ｋ）起動されたストップウォッチアプリケーションでは、選択された項目の項目番号と項目名称とが自動的に登録された項目登録画面８を表示する。（ｌ）この項目登録画面８の「ＳＴＡＲＴ」ボタンを押下することにより、計測を開始し、状態変化毎のスプリット表示を、結果表示画面９により行い、「ＳＴＯＰ」ボタン押下まで継続計測を行う。結果表示画面９では、登録した機器のイベント発生（図ではＯＦＦ→ＯＮ）時刻とインターバル（間隔）を表示し、表示結果は記憶装置に記録される。
【００２８】
実施の形態４によれば、ストップウォッチアプリケーションとして、計測する対象の機器（監視ポイント）を登録し、登録した機器のイベント発生時刻とインターバルを表示、記録することで、一連の機器の動作状況を時系列に把握することができる。
【００２９】
実施の形態５．
図５は、この発明の実施の形態５による監視制御システムを説明する説明図である。
図５において、１、２は図１におけるものと同一のものである。図５では、グラフィック画面１で、範囲を選択する（範囲を選択する手段）と、選択された範囲内の監視ポイントが監視ポイント一覧画面１０に一覧表示（一覧表示する手段）され、そこから監視ポイントを特定して選択すると、選択された監視ポイントに対応したワンポイントメニュー２が表示されるようになっている。監視ポイント一覧画面１０上で監視ポイントを選択するつど、それぞれ対応したワンポイントメニュー２が表示される。
【００３０】
実施の形態１では、監視ポイントのポイントシンボルをクリックして１つの監視ポイントを選択したが、実施の形態５では、グラフィック画面１上で、ある範囲を選択することで、範囲内に含まれる複数の監視ポイントを選択できるようにした。
また、機器間の系統線が選択された場合には関連する機器の監視ポイントを纏めて表示する。
【００３１】
図５は、実施の形態５の操作フローの例を示している。
（ｍ）オペレーターは、グラフィック画面１より、閲覧したい監視シンボルを含む範囲を選択する。範囲が選択されると選択された範囲内の監視ポイントの一覧である監視ポイント一覧画面１０が表示される。
（ｎ）オペレータが、監視ポイント一覧画面１０から検索対象の監視ポイントを選択することにより、選択された監視ポイントに対応したワンポイントメニュー２が表示される。
ワンポイントメニュー２からリンクフォルダー画面３の表示は、実施の形態１と同じなので、ここでの説明は省略する。
【００３２】
実施の形態５によれば、グラフィック画面上で範囲を選択して、範囲内の複数の監視ポイントを一覧表示させ、そこから監視ポイントを選択して、ワンポイントメニューを表示することができる。
【００３３】
実施の形態６．
図６は、この発明の実施の形態６による監視制御システムを説明する説明図である。
図６において、１、１０は図５におけるものと同一のものである。図６では、監視ポイント一覧画面１０に「履歴」、「サマリ」、「制御」の各ボタンを設け、「制御」ボタンを押下すれば、制御画面１１が表示されるようになっている。
【００３４】
実施の形態５では、グラフィック画面１上で範囲を指定し、範囲内の複数の監視ポイントの管理データを検索可能とすることを述べたが、実施の形態６では、グラフィック画面１上で範囲を指定して（範囲を選択する手段）表示された（表示する手段）監視ポイント一覧画面１０に設けられた制御（グループ制御やシーケンス制御等）や監視（サマリ／履
歴等）ボタンの操作を可能（一括監視または制御を行う手段）とする。
これにより、予め監視ポイントのグループを登録することなく、任意の監視ポイントのグループを容易に作成して、グループ内の監視ポイントに対し、一括して、制御や監視を行うことができるようになる。
【００３５】
図６は、実施の形態６の操作フローの例を示している。
（ｍ）オペレータは、グラフィック画面１上で閲覧したい監視シンボルの範囲を選択する（範囲を選択する手段）。範囲選択されると選択された監視ポイントの一覧である監視ポイント一覧画面１０が表示される（表示する手段）。すなわち、選択範囲内の監視ポイントはグループを形成する。
（ｐ）オペレータは、監視ポイント一覧画面１０上の複数の制御項目（監視ポイント）に対して、監視ポイント一覧画面１０上の「制御」ボタンを押すことにより、制御画面１１が表示される。（ｑ）制御画面１１上の「ＯＮ」ボタン、「ＯＦＦ」ボタンを押下することにより、グループ内の制御項目に対し、一括して、「ＯＮ」制御または「ＯＦＦ」制御を行うことができる。
【００３６】
実施の形態６によれば、予め監視ポイントのグループ分けを行うことなく、グラフィック画面上で選択された範囲内の複数の監視ポイントをグループとして、一括して、制御や監視を行うことができる。
【００３７】
実施の形態７．
図７は、この発明の実施の形態７による監視制御システムを説明する説明図である。
図７において、インストールデータ格納フォルダー２０には、オペレータが予め管理データや機能のインストールデータを作成しておく。データ自動登録画面２１は、データ自動登録機能が起動されると表示され、データ自動登録画面２１上の実行ボタンが押下されることにより、アプリケーション追加フォルダー２２内の該当する監視ポイントのフォルダーにインストールデータが自動的に登録される。
【００３８】
実施の形態２では、監視ポイントごとに「管理データ」や「機能」を登録する方法を述べたが、実施の形態７では、インストールデータのファイル名にコードを埋め込んでおき（コードを埋め込む手段）、データ登録を行う際、インストールデータのファイル名に埋め込んだコードが同じ監視ポイントのフォルダーに対して自動的にデータ登録（登録する手段）し、登録操作を容易にするようにした。
【００３９】
図７は、実施の形態７の操作フローの例を示している。
（ｒ）オペレータは、インストールデータ格納フォルダー２０に、管理データや機能のインストールデータを予め作成し、監視ポイントを特定するコードを含んだファイル名としておく。
（ｓ）データ自動登録機能を起動することにより、データ自動登録画面２１が表示され、（ｔ）データ自動登録画面２１上の実行ボタンを押下することにより、（ｕ）アプリケーション追加フォルダー２２の該当する監視ポイントのフォルダーにインストールデータが自動的に登録される。このとき、ファイル名に埋め込んだコードが同じ監視ポイントのフォルダーには自動的にインストールデータを登録し、（ｖ）コードが同じでなければ、登録しないようにする。
【００４０】
実施の形態７によれば、自動的に管理データや機能を監視ポイントのフォルダーに登録することができる。
【００４１】
なお、本発明は、その発明の範囲内において、各実施の形態を自由に組み合わせたり、各実施の形態を適宜、変形、省略することが可能である。
【符号の説明】
【００４２】
１  グラフィック画面
２  ワンポイントメニュー
３  リンクフォルダー画面
４  ポイントリンク定義情報
５  アプリケーション画面
６  サマリ除外画面
７  サマリ画面
８  項目登録画面
９  結果表示画面
１０  監視ポイント一覧画面
１１  制御画面
２０  インストールデータ格納フォルダー
２１  データ自動登録画面
２２  アプリケーション追加フォルダー
【図１】
0005683528.tif 000002
【図２】
0005683528.tif 000003
【図３】
0005683528.tif 000004
【図４】
0005683528.tif 000005
【図５】
0005683528.tif 000006
【図６】
0005683528.tif 000007
【図７】
0005683528.tif 000008